(57)【要約】【課題】容器から抜き出されることなく容器内に残る液体を少なくすることができる液体容器用治具、及びその治具を用いて容器から液体を抜き出す方法を提供する。【解決手段】液体コンテナなどの液体容器の液体出口１１に取り付けて使用される治具１００は、液体出口１１に接続される外側パイプ部材１１０と、開口１２０ａを有する一方の端部を含む一部分が外側パイプ部材１１０の内側に配置される内側パイプ部材１２０とを備える。内側パイプ部材１２０の開口１２０ａは、外側パイプ部材１１０の縦パイプ部分１１２の内側において下向きに配置されている。【選択図】図１
2009249025.tif 000002
【特許請求の範囲】
【請求項１】
液体を収容する容器から液体出口を通じて液体を吸引して抜き出すときに、容器から抜き出されることなく容器内に残る液体を少なくするべく、容器の液体出口に取り付けて使用される治具であって、
容器の液体出口に接続される第１の管部材と、
少なくとも一部分が第１の管部材の内側に配置される第２の管部材とを備え、
第１の管部材の内側に配置される第２の管部材の部分には下向きの開口が設けられており、その開口は、第１の管部材の内壁面のうち同開口と対向する部分から離れて配置されていることを特徴とする液体容器用治具。
【請求項２】
第１の管部材は液だめ部を有し、第２の管部材の開口は液だめ部内に配置されている請求項１に記載の治具。
【請求項３】
液体を収容する容器の液体出口に請求項１又は２に記載の治具を取り付ける工程と、
治具が取り付けられた液体出口を通じて容器から液体を吸引して抜き出す工程と
を備えることを特徴とする液体容器からの液体抜き出し方法。
【発明の詳細な説明】
【技術分野】
【０００１】
本発明は、液体を収容するコンテナやタンクなどの液体容器の液体出口に取り付けて使用される治具、及びそのような治具を用いて容器から液体を抜き出す方法に関する。
【背景技術】
【０００２】
液体を収容するコンテナやタンクなどの液体容器の典型例として、容器下部から側方に延びる液体出口を有するものが知られている。従来、このような容器から液体を抜き出す場合には、ポンプから延びるチューブを液体出口に取り付けてポンプで液体を吸引することが行われる。この場合、容器内の液面の高さが液体出口の上側部分の高さに近づくにつれ、ポンプには液体と一緒に空気が吸引される。その結果、ポンプの吸引効率が徐々に低下し、やがて容器からそれ以上液体を抜き出すことはできなくなる。こうして容器から抜き出されることなく容器内に残る液体はできるだけ少ないことが望まれる。
【０００３】
本発明に関連する先行技術文献としては以下の特許文献１を挙げることができる。
【特許文献１】特開２００３−２１２９７号公報
【発明の開示】
【発明が解決しようとする課題】
【０００４】
そこで、本発明の目的は、容器から抜き出されることなく容器内に残る液体を少なくすることができる液体容器用治具、及びその治具を用いて容器から液体を抜き出す方法を提供することにある。
【課題を解決するための手段】
【０００５】
上記の目的を達成するために、本発明の一態様では、液体を収容する容器の液体出口に取り付けて使用される液体容器用治具を提供する。治具は、容器の液体出口に接続される第１の管部材と、少なくとも一部分が第１の管部材の内側に配置される第２の管部材とを備える。第１の管部材の内側に配置される第２の管部材の部分には下向きの開口が設けられており、その開口は、第１の管部材の内壁面のうち同開口と対向する部分から離れて配置されている。
【０００６】
第１の管部材は液だめ部を有することが好ましい。この場合、第２の管部材の開口は、液だめ部内に配置されている。
本発明の別の態様では、液体を収容する容器の液体出口に前記一態様の治具を取り付ける工程と、治具が取り付けられた液体出口を通じて容器から液体を抜き出す工程とを備える液体容器からの液体抜き出し方法を提供する。
【発明の効果】
【０００７】
本発明によれば、容器から抜き出されることなく容器内に残る液体を少なくすることができる治具、及びその治具を用いて容器から液体を抜き出す方法が提供される。
【発明を実施するための最良の形態】
【０００８】
（第１実施形態）
以下、本発明の第１実施形態を、図１及び図２を参照して説明する。
図１に示す第１実施形態に係る液体容器用治具１００は、液体を収容する容器の液体出口に取り付けて使用される。治具１００は、より具体的には、図２に示すような液体コンテナ１０の液体出口１１に取り付けて使用することを意図して構成されている。図２に示す液体コンテナ１０では、液体出口１１は、コンテナ下部から側方に延びている。
【０００９】
図１に示すように、治具１００は、第１の管部材としての外側パイプ部材１１０と、第２の管部材としての内側パイプ部材１２０とを備える。パイプ部材１１０，１２０はポリ塩化ビニル製である。
【００１０】
外側パイプ部材１１０は、直線状の横パイプ部分１１１と、直線状の縦パイプ部分１１２とを有し、略Ｔ字形の外形形状を有している。横パイプ部分１１１の両端部１１１ａ，１１１ｂは開放されており、そのうちの一方で外側パイプ部材１１０は液体コンテナ１０の液体出口１１に接続される。すなわち、横パイプ部分１１１の両端部１１１ａ，１１１ｂのうち一方の端部１１１ａは液体出口１１に接続される接続端部であり、他方の端部１１１ｂは液体出口１１に接続されない自由端部である。一方、縦パイプ部分１１２の両端部１１２ａ，１１２ｂのうち一方の端部１１２ａは開放されており、他方の端部１１２ｂは閉鎖されている。縦パイプ部分１１２は、開放端部１１２ａにおいて、横パイプ部分１１１の両端部１１１ａ，１１１ｂの中間位置に接合されている。縦パイプ部分１１２の開放端部１１２ａが接続される横パイプ部分１１１の箇所には開口が形成されており、これにより、横パイプ部分１１１に接続された縦パイプ部分１１２の内側は横パイプ部分１１１の内側に連通している。
【００１１】
内側パイプ部材１２０は、横パイプ部分１１１の自由端部１１１ｂを通じて、開口１２０ａを有する一方の端部を含む一部分が外側パイプ部材１１０の内側に配置されている。外側パイプ部材１１０の内側に配置される内側パイプ部材１２０の部分は、ほぼ直角に屈曲する屈曲部１２１を有し、略Ｌ字形の外形形状を有している。外側パイプ部材１１０の内側に内側パイプ部材１２０の一部分を配置させるに際して、内側パイプ部材１２０の開口１２０ａを有する端部は、外側パイプ部材１１０の縦パイプ部分１１２の内側に配置させられる。それと同時に、内側パイプ部材１２０は、外側パイプ部材１１０の内側に配置される内側パイプ部材１２０の部分のうち屈曲部１２１から開口１２０ａを有する端部までの部位が縦パイプ部分１１２の軸線と略平行に延び、かつ、残りの部位が横パイプ部分１１１の軸線と略平行に延びる姿勢に配置させられる。このとき、内側パイプ部材１２０の開口１２０ａは、縦パイプ部分１１２の閉鎖端部１１２ｂから離れて、換言すれば、外側パイプ部材１１０の内壁面のうち開口１２０ａと対向する部分から離れて配置させられる。開口１２０ａと閉鎖端部１１２ｂの間の距離は、開口１２０ａの内径の４０％以上の大きさであることが好ましい。
【００１２】
外側パイプ部材１１０と外側パイプ部材１１０の内側に配置される内側パイプ部材１２０の部分の間の隙間は、横パイプ部分１１１の自由端部１１１ｂに対応する位置において、シール部材１３０によってシールされている。
【００１３】
治具１００を液体コンテナ１０の液体出口１１に取り付けて使用するに際して、外側パイプ部材１１０は、横パイプ部分１１１の軸線が略水平方向に沿い、かつ、縦パイプ部分１１２の軸線が略鉛直方向に沿う姿勢に配置させられる。このとき、縦パイプ部分１１２の閉鎖端部１１２ｂは開放端部１１２ａよりも下方に位置させられる。これにより、縦パイプ部分１１２の内側に配置されている内側パイプ部材１２０の端部の開口１２０ａは下向きに配置させられる。
【００１４】
横パイプ部分１１１の自由端部１１１ｂから外側パイプ部材１１０の外側に延びる内側パイプ部材１２０の部分にある端部には、図２に示すようにポンプ２０から延びるチューブ２１が接続される。
【００１５】
液体コンテナ１０の液体出口１１に治具１００を取り付けた後、ポンプ２０を駆動させることにより、液体出口１１を通じて液体コンテナ１０から液体が抜き出される。液体コンテナ１０から抜き出された液体は、治具１００及びチューブ２１を通過してポンプ２０へと吸引される。治具１００を通過する際、液体は、外側パイプ部材１１０の内側から内側パイプ部材１２０の内側に移行する。より詳細には、液体は一旦、外側パイプ部材１１０の縦パイプ部分１１２の内側に貯えられた後、そこから開口１２０ａを通じて内側パイプ部材１２０の内側に吸い上げられる。すなわち、縦パイプ部分１１２の内側は、液だめ部として機能する。液だめ部の底面を構成する閉鎖端部１１２ｂは、液体出口１１よりも下方に位置している。内側パイプ部材１２０の開口１２０ａは縦パイプ部分１１２の内側、すなわち液だめ部内に配置されている。そのため、液だめ部に貯えられる液体の液面の高さが開口１２０ａの高さを下回らない限り、ポンプ２０に空気が吸引されることはない。従って、液体コンテナ１０からの液体の抜き出しが長く良好に継続される結果、液体コンテナ１０から抜き出されることなく液体コンテナ１０内に残る液体を少なくすることができる。
【００１６】
液体コンテナ１０から抜き出されることなく液体コンテナ１０内に残る液体をより少なくするためには、ポンプ２０の動作時のポンプ流量は比較的小さいことが好ましい。具体的には、ポンプ流量は３０Ｌ／分未満に設定されることが好ましく、より好ましくは２０Ｌ／分未満、特に好ましくは１５Ｌ／分未満である。液体コンテナ１０の液体出口１１から流れ出る液体の単位時間当たりの量をポンプ流量が上回ると、液体と一緒に空気がポンプ２０に吸引される事態となる。その点、ポンプ流量を３０Ｌ／分未満、さらに言えば２０Ｌ／分未満、もっと言えば１５Ｌ／分未満に設定すれば、液体コンテナ１０内の液体が残り少なくなるまで、液体コンテナ１０の液体出口１１から流れ出る液体の単位時間当たりの量をポンプ流量が上回るのを避けることができる。ただし、ポンプ流量が小さすぎると、脈動により送液が不安定になることに加え、液体の抜き出しにかかる時間が無駄に長くなる。そのため、ポンプ流量は０．１Ｌ／分以上に設定されることが好ましく、より好ましくは１Ｌ／分以上、特に好ましくは５Ｌ／分以上である。
【００１７】
第１実施形態によれば以下の利点が得られる。
・  治具１００を用いることなく液体コンテナ１０の液体出口１１に直接チューブ２１を取り付けて、ポンプ２０で吸引して液体コンテナ１０から液体を抜き出した場合には、液体出口１１を通過する液体に空気が混入し始めるとすぐ、液体と一緒に空気がポンプ２０に吸引され始める。これに対し、液体出口１１に治具１００を取り付けて使用した場合には、液体出口１１を通過する液体に空気が混入し始めても、液だめ部に貯えられる液体の液面の高さが内側パイプ部材１２０の開口１２０ａの高さを下回らない限り、ポンプ２０に空気が吸引されることはない。従って、液体コンテナ１０からの液体の抜き出しが長く良好に継続される結果、液体コンテナ１０から抜き出されることなく液体コンテナ１０内に残る液体を少なくすることができる。
【００１８】
・  液体コンテナ１０からの液体の抜き出しが良好に継続されるのは液だめ部の液体の液面の高さが内側パイプ部材１２０の開口１２０ａの高さを下回るに至るまでの間であることに着目すると、開口１２０ａから縦パイプ部分１１２の閉鎖端部１１２ｂまでの距離はできるだけ小さいことが望ましい。ただし、この距離が小さすぎると、外側パイプ部材１１０の内側から内側パイプ部材１２０の内側への液体の移行が円滑に進まなくなるおそれがある。この点、開口１２０ａから閉鎖端部１１２ｂまでの距離を開口１２０ａの内径の４０％以上の大きさに設定した場合には、そうしたおそれを防ぐことができる。
【００１９】
・  ポンプ２０の動作時のポンプ流量を３０Ｌ／分未満、さらに言えば２０Ｌ／分未満、もっと言えば１５Ｌ／分未満に設定した場合には、液体コンテナ１０から抜き出されることなく液体コンテナ１０内に残る液体をより少なくすることができる。
【００２０】
・  ポンプ２０の動作時のポンプ流量を０．１Ｌ／分以上、さらに言えば１Ｌ／分以上、もっと言えば５Ｌ／分以上に設定した場合には、脈動により送液が不安定になるのを防止することができる。
【００２１】
（第２実施形態）
次に、本発明の第２実施形態を、図３を参照して説明する。
図３に示す第２実施形態に係る液体容器用治具２００は、図１に示す治具１００と同様、図２に示すような液体コンテナ１０の液体出口１１に取り付けて使用することを意図して構成されている。
【００２２】
図３に示すように、治具２００は、第１の管部材としての外側パイプ部材２１０と、第２の管部材としての内側パイプ部材２２０とを備える。パイプ部材２１０，２２０はポリ塩化ビニル製である。
【００２３】
直線状をなす外側パイプ部材２１０の両端部２１０ａ，２１０ｂは開放されており、そのうちの一方で外側パイプ部材２１０は液体コンテナ１０の液体出口１１に接続される。すなわち、外側パイプ部材２１０の両端部２１０ａ，２１０ｂのうち一方の端部２１０ａは液体出口１１に接続される接続端部であり、他方の端部２１０ｂは液体出口１１に接続されない自由端部である。
【００２４】
内側パイプ部材２２０は、外側パイプ部材２１０の自由端部２１０ｂを通じて、開口２２０ａを有する一方の端部を含む一部分が外側パイプ部材２１０の内側に配置されている。外側パイプ部材２１０の内側に配置される内側パイプ部材２２０の部分は、ほぼ直角に屈曲する屈曲部２２１を有し、略Ｌ字形の外形形状を有している。外側パイプ部材２１０の内側に内側パイプ部材２２０の一部分を配置させるに際して、内側パイプ部材２２０は、外側パイプ部材２１０の内側に配置される内側パイプ部材２２０の部分のうち屈曲部２２１から開口２２０ａを有する端部までの部位を除いた残りの部位が外側パイプ部材２１０の軸線と略平行に延びる姿勢に配置させられる。このとき、内側パイプ部材２２０の開口２２０ａは、外側パイプ部材２１０の内壁面のうち開口２２０ａと対向する部分から離れて配置させられる。開口２２０ａから対向する内壁面の部分までの距離は、開口２２０ａの内径の４０％以上の大きさであることが好ましい。
【００２５】
外側パイプ部材２１０と外側パイプ部材２１０の内側に配置される内側パイプ部材２２０の部分の間の隙間は、外側パイプ部材２１０の自由端部２１０ｂに対応する位置において、シール部材２３０によってシールされている。
【００２６】
治具２００を液体コンテナ１０の液体出口１１に取り付けて使用するに際して、外側パイプ部材２１０は、自身の軸線が略水平方向に沿う姿勢に配置させられる。このとき、外側パイプ部材２１０の内側に配置されている内側パイプ部材２２０の端部の開口２２０ａは下向きに配置させられる。
【００２７】
外側パイプ部材２１０の自由端部２１０ｂから外側パイプ部材２１０の外側に延びる内側パイプ部材２２０の部分にある端部には、図１に示す治具１００と同様、図２に示すようにポンプ２０から延びるチューブ２１が接続される。
【００２８】
液体コンテナ１０の液体出口１１に治具２００を取り付けた後、ポンプ２０を駆動させることにより、液体出口１１を通じて液体コンテナ１０から液体が抜き出される。液体コンテナ１０から抜き出された液体は、治具２００及びチューブ２１を通過してポンプ２０へと吸引される。治具２００を通過する際、液体は、外側パイプ部材２１０の内側から開口２２０ａを通じて内側パイプ部材２２０の内側に吸い上げられて移行する。この場合、外側パイプ部材２１０の内側の液体の液面の高さが開口２２０ａの高さを下回らない限り、ポンプ２０に空気が吸引されることはない。従って、液体コンテナ１０からの液体の抜き出しが長く良好に継続される結果、液体コンテナ１０から抜き出されることなく液体コンテナ１０内に残る液体を少なくすることができる。
【００２９】
ポンプ２０の動作時のポンプ流量に関する好適な数値範囲及びその数値範囲が好適である理由は、第１実施形態の場合と同様である。
第２実施形態によれば以下の利点が得られる。
【００３０】
・  液体コンテナ１０の液体出口１１に治具２００を取り付けて使用した場合には、液体出口１１を通過する液体に空気が混入し始めても、外側パイプ部材２１０の内側の液体の液面の高さが内側パイプ部材２２０の開口２２０ａの高さを下回らない限り、ポンプ２０に空気が吸引されることはない。従って、液体コンテナ１０からの液体の抜き出しが長く良好に継続される結果、液体コンテナ１０から抜き出されることなく液体コンテナ１０内に残る液体を少なくすることができる。
【００３１】
・  内側パイプ部材２２０の開口２２０ａから外側パイプ部材２１０の内壁面のうち開口２２０ａと対向する部分までの距離を開口２２０ａの内径の４０％以上の大きさに設定した場合には、この距離が小さすぎることが原因で外側パイプ部材２１０の内側から内側パイプ部材２２０の内側への液体の移行が円滑に進まなくなるおそれを防ぐことができる。
【００３２】
（第３実施形態）
次に、本発明の第３実施形態を、図４を参照して説明する。
図４に示す第３実施形態に係る液体容器用治具３００は、図１に示す治具１００及び図３に示す治具２００と同様、図２に示すような液体コンテナ１０の液体出口１１に取り付けて使用することを意図して構成されている。
【００３３】
図４に示すように、治具３００は、第１の管部材としての外側パイプ部材３１０と、第２の管部材としての内側パイプ部材３２０とを備える。パイプ部材３１０，３２０はポリ塩化ビニル製である。
【００３４】
外側パイプ部材３１０は、直線状の横パイプ部分３１１と、直線状の縦パイプ部分３１２とを有し、横向き略Ｔ字形の外形形状を有している。横パイプ部分３１１の両端部３１１ａ，３１１ｂは開放されており、そのうちの一方で外側パイプ部材３１０は液体コンテナ１０の液体出口１１に接続される。すなわち、横パイプ部分３１１の両端部３１１ａ，３１１ｂのうち一方の端部３１１ａは液体出口１１に接続される第１端部であり、他方の端部３１１ｂは液体出口１１に接続されない第２端部である。一方、縦パイプ部分３１２の両端部３１２ａ，３１２ｂのうち一方の端部３１２ａは開放されており、他方の端部３１２ｂは閉鎖されている。横パイプ部分３１１は、第２端部３１１ｂにおいて、縦パイプ部分３１２の両端部３１２ａ，３１２ｂの中間位置に接合されている。横パイプ部分３１１の第２端部３１１ｂが接続される縦パイプ部分３１２の箇所には開口が形成されており、これにより、縦パイプ部分３１２に接続された横パイプ部分３１１の内側は縦パイプ部分３１２の内側に連通している。
【００３５】
内側パイプ部材３２０は、縦パイプ部分３１２の開放端部３１２ａを通じて、開口３２０ａを有する一方の端部を含む一部分が外側パイプ部材３１０の内側に配置されている。外側パイプ部材３１０の内側に内側パイプ部材３２０の一部分を配置させるに際して、内側パイプ部材３２０の開口３２０ａを有する端部は、縦パイプ部分３１２の閉鎖端部３１２ｂの近傍に配置させられる。それと同時に、内側パイプ部材３２０は、外側パイプ部材３１０の内側に配置される内側パイプ部材３２０の部分が縦パイプ部分３１２の軸線と略平行に延びる姿勢に配置させられる。このとき、内側パイプ部材３２０の開口３２０ａは、縦パイプ部分３１２の閉鎖端部３１２ｂから離れて、換言すれば、外側パイプ部材３１０の内壁面のうち開口３２０ａと対向する部分から離れて配置させられる。開口３２０ａと閉鎖端部３１２ｂの間の距離は、開口３２０ａの内径の４０％以上の大きさであることが好ましい。
【００３６】
外側パイプ部材３１０と外側パイプ部材３１０の内側に配置される内側パイプ部材３２０の部分の間の隙間は、縦パイプ部分３１２の開放端部３１２ａに対応する位置において、シール部材３３０によってシールされている。
【００３７】
治具３００を液体コンテナ１０の液体出口１１に取り付けて使用するに際して、外側パイプ部材３１０は、横パイプ部分３１１の軸線が水平方向に沿い、かつ、縦パイプ部分３１２の軸線が鉛直方向に沿う姿勢に配置させられる。このとき、縦パイプ部分３１２の閉鎖端部３１２ｂは開放端部３１２ａよりも下方に位置させられる。これにより、縦パイプ部分３１２の内側に配置されている内側パイプ部材３２０の端部の開口３２０ａは下向きに配置させられる。
【００３８】
縦パイプ部分３１２の開放端部３１２ａから外側パイプ部材３１０の外側に延びる内側パイプ部材３２０の部分にある端部には、図１に示す治具１００及び図３に示す治具２００と同様、図２に示すようにポンプ２０から延びるチューブ２１が接続される。
【００３９】
液体コンテナ１０の液体出口１１に治具３００を取り付けた後、ポンプ２０を駆動させることにより、液体出口１１を通じて液体コンテナ１０から液体が抜き出される。液体コンテナ１０から抜き出された液体は、治具３００及びチューブ２１を通過してポンプ２０へと吸引される。治具３００を通過する際、液体は、外側パイプ部材３１０の内側から内側パイプ部材３２０の内側に移行する。より詳細には、液体は一旦、縦パイプ部分３１２の内側のうち横パイプ部分３１１よりも下方に位置する部位、すなわち縦パイプ部分３１２の内側下部に貯えられた後、そこから開口３２０ａを通じて内側パイプ部材３２０の内側に吸い上げられる。すなわち、縦パイプ部分３１２の内側下部は、閉鎖端部３１２ｂを底面とする液だめ部として機能する。液だめ部の底面を構成する閉鎖端部３１２ｂは、液体出口１１よりも下方に位置している。内側パイプ部材３２０の開口３２０ａは縦パイプ部分３１２の内側下部、すなわち液だめ部内に配置されている。そのため、液だめ部に貯えられる液体の液面の高さが開口３２０ａの高さを下回らない限り、ポンプ２０に空気が吸引されることはない。従って、液体コンテナ１０からの液体の抜き出しが長く良好に継続される結果、液体コンテナ１０から抜き出されることなく液体コンテナ１０内に残る液体を少なくすることができる。
【００４０】
ポンプ２０の動作時のポンプ流量に関する好適な数値範囲及びその数値範囲が好適である理由は、第１実施形態の場合と同様である。
第３実施形態によれば以下の利点が得られる。
【００４１】
・  液体コンテナ１０の液体出口１１に治具３００を取り付けて使用した場合には、液体出口１１を通過する液体に空気が混入し始めても、液だめ部に貯えられる液体の液面の高さが内側パイプ部材３２０の開口３２０ａの高さを下回らない限り、ポンプ２０に空気が吸引されることはない。従って、液体コンテナ１０からの液体の抜き出しが長く良好に継続される結果、液体コンテナ１０から抜き出されることなく液体コンテナ１０内に残る液体を少なくすることができる。
【００４２】
・  内側パイプ部材３２０の開口３２０ａから縦パイプ部分３１２の閉鎖端部３１２ｂまでの距離を開口３２０ａの内径の４０％以上の大きさに設定した場合には、この距離が小さすぎることが原因で外側パイプ部材３１０の内側から内側パイプ部材３２０の内側への液体の移行が円滑に進まなくなるおそれを防ぐことができる。
【００４３】
前記実施形態は次のように変更されてもよい。
・  第１〜第３の実施形態に係る治具は、図２に示すような液体コンテナ１０の液体出口１１に取り付けて使用するに限らず、別の液体コンテナの液体出口に取り付けて使用されてもよい。あるいは、液体コンテナ以外の液体容器（例えば液体タンクなど）の液体出口に取り付けて使用されてもよい。
【００４４】
・  第１〜第３の実施形態に係る治具は、図１、図３及び図４に示すように液体コンテナ１０の液体出口１１に外嵌して取り付けられるに限らず、液体出口１１に内嵌して取り付けられてもよいし、液体出口１１の端面に突き合せた状態で取り付けられてもよい。あるいは、治具は、液体出口１１に取り付けられた管部材の端部に取り付けて使用されてもよい。
【００４５】
・  第１〜第３の実施形態において、外側パイプ部材及び内側パイプ部材は、ポリ塩化ビニル製に限らず、ポリ塩化ビニル以外の合成樹脂製であってもよいし、金属製であってもよい。
【００４６】
・  第２実施形態において、外側パイプ部材２１０の内側に配置される内側パイプ部材２２０の部分は必ずしも屈曲部２２１を有する必要はない。この場合、内側パイプ部材２２０の同部分にある端部を閉塞し、内側パイプ部材２２０の同部分に別途、開口を形成すれば、第２実施形態の治具２００と同様の作用効果を奏する治具が得られる。
【００４７】
次に、実施例及び比較例を挙げて本発明をさらに具体的に説明する。
（実施例１）
実施例１では、液体容器から液体出口を通じて液体を吸引して抜き出すに際して、図１に示す治具１００と同様の構成を有する治具を液体出口に取り付けて使用した。
【００４８】
使用した治具では、外側パイプ部材１１０を外径が６０ｍｍで内径が５０ｍｍのポリ塩化ビニルパイプから作製し、内側パイプ部材１２０を外径が３２ｍｍで内径が２５ｍｍのポリ塩化ビニルパイプから作製した。内側パイプ部材１２０の開口１２０ａから縦パイプ部分１１２の閉鎖端部１１２ｂまでの距離は、開口１２０ａの内径の８０％の大きさに相当する２０ｍｍに設定した。
【００４９】
使用した液体容器は、コダマ樹脂工業株式会社製の液体コンテナ“パワートートＰＴ１５−６”である。このコンテナは、高密度ポリエチレン製であり、幅１２００ｍｍ×奥行１０００ｍｍ×高さ１１４９ｍｍで容量約１０００Ｌである。分子量約１００万の水溶性高分子を０．５質量％添加した水をコンテナに充填した。なお、水溶性高分子を添加した後の水の２５℃における粘度は、Ｂ型粘度計を用いて測定したところ、６０ｍＰａ・秒であった。
【００５０】
米国ウィルデン社（WILDEN PUMP & ENGINEERING, LLC）製の空気式ダブルダイヤフラムポンプを用いて、治具が取り付けられた液体出口を通じてコンテナから液体の抜き出しを行った。コンテナからそれ以上液体を抜き出すことができなくなるまで液体の抜き出しを行った後、コンテナから抜き出されることなくコンテナ内に残った液体の重量を測定した結果を表１に示す。
【００５１】
（実施例２）
実施例２では、図３に示す治具２００と同様の構成を有する治具を使用した。使用した治具では、外側パイプ部材２１０を外径が６０ｍｍで内径が５０ｍｍのポリ塩化ビニルパイプから作製し、内側パイプ部材２２０を外径が３２ｍｍで内径が２５ｍｍのポリ塩化ビニルパイプから作製した。内側パイプ部材２２０の開口２２０ａから開口２２０ａと対向する外側パイプ部材２１０の内壁面の部分までの距離は、開口２２０ａの内径の４０％の大きさに相当する１０ｍｍに設定した。使用される治具が異なる以外は実施例１の場合と同様の条件でコンテナから液体の抜き出しを行い、コンテナから抜き出されることなくコンテナ内に残った液体の重量を測定した結果を表１に示す。
【００５２】
（実施例３）
実施例３では、図４に示す治具３００と同様の構成を有する治具を使用した。使用した治具では、外側パイプ部材３１０を外径が６０ｍｍで内径が５０ｍｍのポリ塩化ビニルパイプから作製し、内側パイプ部材３２０を外径が３２ｍｍで内径が２５ｍｍのポリ塩化ビニルパイプから作製した。内側パイプ部材３２０の開口３２０ａから縦パイプ部分３１２の閉鎖端部３１２ｂまでの距離は、開口３２０ａの内径の８０％の大きさに相当する２０ｍｍに設定した。使用される治具が異なる以外は実施例１の場合と同様の条件でコンテナから液体の抜き出しを行い、コンテナから抜き出されることなくコンテナ内に残った液体の重量を測定した結果を表１に示す。
【００５３】
（比較例１）
比較例１では、図５に示す治具５００を使用した。治具５００は、外径が６０ｍｍで内径が５０ｍｍのポリ塩化ビニルパイプを所定の長さに切断して形成される。治具５００は、一方の端部においてコンテナの液体出口に接続され、他方の端部においてポンプから延びるチューブに接続される。使用される治具が異なる以外は実施例１の場合と同様の条件でコンテナから液体の抜き出しを行い、コンテナから抜き出されることなくコンテナ内に残った液体の重量を測定した結果を表１に示す。
【００５４】
（比較例２）
比較例２では、図６に示す治具６００を使用した。治具６００は、外径が６０ｍｍで内径が５０ｍｍのポリ塩化ビニルパイプを所定の長さに切断して得られる第１パイプ部材６１０と、外径が３２ｍｍで内径が２５ｍｍのポリ塩化ビニルパイプを所定の長さに切断して得られる第２パイプ部材６２０とを、図６に示すように互いに接続して形成される。治具６００は、第１パイプ部材６１０の端部においてコンテナの液体出口に接続され、第２パイプ部材６２０の端部においてポンプから延びるチューブに接続される。使用される治具が異なる以外は実施例１の場合と同様の条件でコンテナから液体の抜き出しを行い、コンテナから抜き出されることなくコンテナ内に残った液体の重量を測定した結果を表１に示す。
【００５５】
（比較例３）
比較例３では、図７に示す治具７００を使用した。治具７００は、外径が６０ｍｍで内径が５０ｍｍの所定の長さのポリ塩化ビニルパイプを、図７に示すように２箇所で９０度に屈曲して形成される。治具７００は、一方の端部においてコンテナの液体出口に接続され、他方の端部においてポンプから延びるチューブに接続される。使用される治具が異なる以外は実施例１の場合と同様の条件でコンテナから液体の抜き出しを行い、コンテナから抜き出されることなくコンテナ内に残った液体の重量を測定した結果を表１に示す。
【００５６】
【表１】
2009249025.tif 000003
表１に示すように、実施例１〜３で得られた結果は、比較例１〜３で得られた結果に比べて良好であった。中でも、液だめ部を備える治具を用いた実施例１，３の場合は、液だめ部を備えない治具を用いた実施例２の場合に比べて、ポンプ流量が比較的高いときも良好な結果が得られた。
【００５７】
前記実施形態より把握できる技術的思想について以下に記載する。
・  前記液だめ部の底面は、液体出口よりも下方に位置する請求項１又は２に記載の治具。
【００５８】
・  第２の管部材の下向きの開口から第１の管部材の内壁面のうち同開口と対向する部分までの距離は、開口の内径の４０％以上の大きさである請求項１又は２に記載の治具。
【図面の簡単な説明】
【００５９】
【図１】本発明の第１実施形態に係る液体容器用治具の断面図。
【図２】図１に示す治具が取り付けられた液体コンテナの側面図。
【図３】本発明の第２実施形態に係る液体容器用治具の断面図。
【図４】本発明の第３実施形態に係る液体容器用治具の断面図。
【図５】比較例１の液体容器用治具の断面図。
【図６】比較例２の液体容器用治具の断面図。
【図７】比較例３の液体容器用治具の断面図。
【符号の説明】
【００６０】
１０…液体容器としての液体コンテナ、１１…液体出口、１００…液体容器用治具、１１０…第１の管部材としての外側パイプ部材、１２０…第２の管部材としての内側パイプ部材、１２０ａ…開口、１１２…液だめ部として機能する縦パイプ部分。
【図１】
2009249025.tif 000004
【図２】
2009249025.tif 000005
【図３】
2009249025.tif 000006
【図４】
2009249025.tif 000007
【図５】
2009249025.tif 000008
【図６】
2009249025.tif 000009
【図７】
2009249025.tif 000010